(57)【要約】【課題】部品点数の減少を図って生産性の向上を図ることができるとともに製作時および施工時の作業性を飛躍的に向上させて落下の防止を図ることができる屋外照明器具を提供する。【解決手段】屋外照明器具１０は、照明柱１６と、照明柱１６に固定される器具本体１１と、器具本体１１に収容されるランプと、を備え、器具本体１１と照明柱１６との間に紐状体１７を配置し、紐状体１７は、その一端を器具本体１１に設けた固定部２２に結束し、その他端を照明柱１６に収容されていて照明柱１６の軸方向に十分に長い棒状体１８に結束した。【選択図】図２
2010218835.tif 000002
【特許請求の範囲】
【請求項１】
照明柱と、
前記照明柱に固定される器具本体と、
前記器具本体に収容されるランプと、
を備えた屋外照明器具であって、
前記器具本体と前記照明柱との間に紐状体を配置し、前記紐状体は、その一端を前記器具本体に設けた固定部に結束し、その他端を前記照明柱に収容されていて前記照明柱の軸方向に十分に長い棒状体に結束したことを特徴とする屋外照明器具。
【請求項２】
前記紐状体と前記棒状体とは回転自在に結束されていることを特徴とする請求項１に記載した屋外照明器具。
【請求項３】
前記棒状体は前記照明柱の内面に当接可能な緩衝部材を有することを特徴とする請求項１又は２に記載した屋外照明器具。
【発明の詳細な説明】
【技術分野】
【０００１】
本発明は、例えば屋外に設置されて道路や公園等を照明して防犯を図る街路灯に用いられる屋外照明器具に関し、特に腐食や金属疲労に伴う落下を防止する防止機能を有する屋外照明器具に関する。
【背景技術】
【０００２】
街路灯等の高所に取り付けられる屋外照明器具においては、腐食や金属疲労に伴いランプを収容した器具本体が落下する虞が懸念される。
【０００３】
従来の屋外照明器具の一例として、照明柱に小径の小径部材を予め固定しておき、小径部材に通した吊り部材の一端を小径部材に通らない外径の抜け止め具に取り付け、吊り部材の他端を器具本体に取付けたものがある（例えば特許文献１参照）。
【０００４】
従来の屋外照明器具の他の一例として、照明柱に小径の接続管を収容固定し、接続管に通したワイヤの一端を接続管に通らない外径の孔あき円板に取り付け、ワイヤの他端を器具本体に取付けたものがある（例えば特許文献２参照）。
【先行技術文献】
【特許文献】
【０００５】
【特許文献１】特開平１０−１２０１３号公報（図１、請求項１）
【特許文献２】実用新案登録第３１２０８４３号公報（図１、請求項１）
【発明の概要】
【発明が解決しようとする課題】
【０００６】
通常、落下を防止する防止策としては、器具本体を取り付ける照明柱内に支柱を固定し、吊り部材やワイヤ等の連結部材の一端を器具本体に結束し、連結部材の他端を支柱に結束するようにした。しかし、連結部材が支柱から外れた場合、落下の防止機能を有さなくなるという問題点があった。
【０００７】
上記特許文献１および上記特許文献２は上記の問題点を解決するために考えられたものである。しかし、上記特許文献１に開示された屋外照明器具では、照明柱に小径の小径部材を予め固定しておかなければならない。ところが、一般的に照明柱と器具本体との固定部分に電力線を保持する部品が配置されている。そのため、それを避けるように照明柱の先端から奥まった部分に小径部材を固定することになり、その作業が面倒である。
また、小径部材固定部で破損した場合、器具の落下を防げない。
【０００８】
また、上記特許文献２に開示された屋外照明器具では、上記特許文献１と同様に、照明柱に小径の接続管を予め収容固定しておかなければならない。しかし、照明柱と器具本体との固定部分における電力線を保持する部品を避けるように照明柱の先端から奥まった部分に接続管を固定する作業が面倒である。
また、小径部材固定部で破損した場合、器具の落下を防げない。
【０００９】
このように、上記特許文献１および上記特許文献２に開示された屋外照明器具では、工場での製作時に、屋外照明器具に適用する照明柱を把握し、吊り部材やワイヤを抜け止め具や孔あき円板に予め結束しておき、抜け止め具や孔あき円板を照明柱に収容した後に、吊り部材やワイヤを通した小径部材や接続管を溶接等の接合手段で照明柱に固定することになる。
従って、部品点数の減少を図ることができないとともに作業性が良好ではなかった。
【００１０】
本発明は、前述した課題を解決するためになされたものであり、その目的は、部品点数の減少を図って生産性の向上を図ることができるとともに製作時および施工時の作業性を飛躍的に向上させて落下の防止を図ることができる屋外照明器具を提供することにある。
【課題を解決するための手段】
【００１１】
本発明に係る屋外照明器具は、照明柱と、前記照明柱に固定される器具本体と、前記器具本体に収容されるランプと、を備えた屋外照明器具であって、前記器具本体と前記照明柱との間に紐状体を配置し、前記紐状体は、その一端を前記器具本体に設けた固定部に結束し、その他端を前記照明柱に収容されていて前記照明柱の軸方向に十分に長い棒状体に結束したことを特徴とする。
【００１２】
本発明においては、紐状体の他端に結束された棒状体を照明柱に収容し、紐状体の一端を固定部に結束した器具本体を照明柱に固定する。腐食や金属疲労に伴い器具本体が照明柱から外れた際に、紐状体は器具本体とともに照明柱から引き出されていく。しかし、紐状体が引き出されるのに伴い照明柱の先端部において棒状体が照明柱の開口部と開口部の下方の内面とに引っ掛かって保持され、紐状体の引き出しが停止される。紐状体の長さを、例えば、棒状体が照明柱の開口部に引っ掛かる際の棒状体から器具本体が人に衝突しない位置までの長さに設定した場合、器具本体を人に衝突させることがない。
これにより、従来のもののように照明柱に別部材を固定しておく必要がなくなる。
従って、部品点数の減少を図って生産性の向上を図ることができるとともに製作時および施工時の作業性を飛躍的に向上させて落下の防止を図ることができる。
【００１３】
本発明に係る屋外照明器具は、上記屋外照明器具において、前記紐状体と前記棒状体とは回転自在に結束されていることを特徴とする。
【００１４】
本発明においては、紐状体と棒状体とに捩れを生じた場合、紐状体と棒状体とが回転自在に結束されているために、捩れに伴うせん断応力を紐状体に与えることがない。
従って、紐状体が捩れにより切断することがないので品質の向上を図ることができる。
【００１５】
本発明に係る屋外照明器具は、上記屋外照明器具において、前記棒状体は前記照明柱の内面に当接可能な緩衝部材を有することを特徴とする。
【００１６】
本発明においては、棒状体が照明柱の内面に当接するような場合に、緩衝部材により、その際の衝撃を紐状体に与えることがない。
従って、衝撃等によって紐状体が切断するようなことがなく、異音の発生も抑制できるので品質の向上を図ることができる。
【発明の効果】
【００１７】
本発明の屋外照明器具によれば、照明柱と、照明柱に固定される器具本体と、器具本体に収容されるランプと、を備えた屋外照明器具であって、器具本体と照明柱との間に紐状体を配置し、紐状体は、その一端を器具本体に設けた固定部に結束し、その他端を照明柱に収容されていて照明柱の軸方向に十分に長い棒状体に結束した。
これにより、部品点数の減少を図って生産性の向上を図ることができるとともに製作時および施工時の作業性を飛躍的に向上させて落下の防止を図ることができるという効果を有する。
【図面の簡単な説明】
【００１８】
【図１】本発明に係る第１実施形態の屋外照明器具のカバーを開放した斜め上方から視た外観斜視図
【図２】図１の屋外照明器具のおける斜め上方から視た分解斜視図
【図３】図１の屋外照明器具に適用される棒状体の側面図
【図４】図１の屋外照明器具のおける斜め下方から視た分解斜視図
【図５】図１の屋外照明器具の側面図
【図６】図１の屋外照明器具の作用を説明する側面図
【図７】本発明に係る第１実施形態の屋外照明器具に適用される棒状体の第１変形例の側面図
【図８】本発明に係る第１実施形態の屋外照明器具に適用される棒状体の第２変形例の側面図
【図９】本発明に係る第１実施形態の屋外照明器具に適用される棒状体の第３変形例の側面図
【図１０】本発明に係る第２実施形態の屋外照明器具の側面図
【図１１】図１０の屋外照明器具の紐状体周りの側面図
【図１２】図１０の屋外照明器具の第１の場合の作用を説明する側面図
【図１３】図１０の屋外照明器具の第２の場合の作用を説明する側面図
【図１４】本発明に係る第３実施形態の屋外照明器具の側面図
【図１５】図１４の屋外照明器具の作用を説明する側面図
【発明を実施するための形態】
【００１９】
以下、本発明の複数の実施形態に係る屋外照明器具について、図面を参照して説明する。
【００２０】
（第１実施形態）
本発明の第１実施形態である屋外照明器具１０は、器具本体１１の一方を構成する本体ケース１２と、器具本体１１の他方を構成するカバー１３と、カバー１３に収容したランプ１４と、本体ケース１２のランプ１４に対応した位置に固定されたレンズ１５と、本体ケース１３に固定される中空の照明柱１６と、紐状体１７と、棒状体１８と、を備える街路灯である。
【００２１】
図１に示すように、本体ケース１２は、成形材料である例えばアルミニウムダイカストを用いて半卵形状に形成されている。本体ケース１２の表面には腐食防止のための塗装が施されている。
【００２２】
本体ケース１２は、その照明柱側の端部に照明柱固定用孔１９を有し、その照明柱側の端部をカバー１３の照明柱１６側の端部にヒンジ部材２０を介して連結されている。
【００２３】
本体ケース１２は、その反照明柱１６側の端部にラッチ部材２１を備えている。ラッチ部材２１はヒンジ部材２０を介してカバー１３を本体ケース１２に対して閉塞した際にカバー１３に掛止されることによりカバー１３を本体ケース１２にロックさせる。
【００２４】
本体ケース１２は、その下面のほぼ中央部に固定部である紐状体結束部２２を有する。紐状体結束部２２は筒状のボス形状に突出形成されている。
【００２５】
レンズ１５は透明や半透明の樹脂製であり、本体ケース１２の下面に取り付けられている。
【００２６】
カバー１３は本体ケース１２の半卵形状に被される形状に形成されている。カバー１３の表面には腐食防止のための塗装が施されている。カバー１３はソケット２３を内装しており、ソケット２３にランプ１４を装着している。ソケット２３は不図示の器具配線に電気的に接続されている。器具配線は照明柱１６の内部を通じて外部の点灯回路に電気的に接続されている。
【００２７】
ソケット２３の周囲にはランプ１４からの光を地面に向けて反射させるためのリフレクタ２４を形成している。
【００２８】
図２に示すように、照明柱１６は均一の内径寸法を有する中空柱である。照明柱１６は、その基端部を地中に埋設しており、その先端部を開口している。
【００２９】
紐状体１７はワイヤロープ等の大きな荷重に耐えられるワイヤ部材であって比較的小さい線径を有する。紐状体１７は器具本体１１を形成する本体ケース１２およびカバー１３に腐食や金属疲労を生じる時期よりも十分に長い耐食特性を有する。
【００３０】
紐状体１７は、その一端部２５を本体ケース１２の紐状体結束部２２にワッシャ２６とビス２７とにより結束されている。紐状体１７の長さは照明柱１６の先端の開口部から地面までの長さ寸法から器具本体１１の長さ寸法を引いた値よりも十分に短い値に設定されている。
【００３１】
紐状体１７は、本体ケース１２の照明柱固定用孔１９内に挿入され、その他端部２８に棒状体１８を結束している。
【００３２】
図３に示すように、棒状体１８は例えば機械構造用鋼材等の鋼材を用いて棒形状に形成されている。棒状体１８は、その上端に環状の紐状体結束用輪部２９を有し、紐状体結束用輪部２９の下方に支持軸部３０を有する。
【００３３】
支持軸部３０は、照明柱１６の開口部において斜めに配置された際に、その上端部を照明柱１６の開口部に係合させ、その下端部を照明柱１６の内面に係合させるような照明柱１６の軸方向に十分に長い長さ寸法Ｌ１を有する。このとき、支持軸部３０は照明柱１６の開口部に照明柱１６の軸方向に対して約４５度の傾斜角度（図６参照）θ１で傾斜することにより照明柱１６の開口部に保持されるようになっている。
【００３４】
紐状体１７は紐状体結束用輪部２９に結束されることにより棒状体１８に回転自在に連結されている。
これにより、紐状体１７と棒状体１８とに捩れを生じた場合、紐状体１７と棒状体１８とが回転自在に連結されているために、捩れに伴うせん断応力を紐状体に与えることがない。
従って、紐状体１７が捩れにより切断することがない。
【００３５】
図４に示すように、本体ケース１２は、その照明柱１６側の端縁に３個の貫通穴３１を照明柱１６の軸方向に並べて形成している。３個の貫通穴３１は照明柱固定用孔１９内に貫通形成されている。照明柱１６は貫通穴３１に対応したネジ穴３２を有する。
【００３６】
本体ケース１２は、照明柱１６との取付けに際し、その照明柱固定用孔１９を照明柱１６に外挿させて３個の貫通穴３１を照明柱１６のネジ穴３２に合わせる。そして、本体ケース１２は照明柱１６内に配置したナット３３と、ナット３３にねじ込まれるボルト３４と、ネジ穴３２にねじ込まれるボルト３５と、座金３６とにより照明柱１６に固定される。
【００３７】
図５に示すように、屋外照明器具１０は、照明柱１６の基端部が地中に埋設されることにより設置され、器具本体１１が高所に配置される。
【００３８】
この通常使用時に、一端部２５を本体ケース１２の紐状体結束部２２に結束した紐状体１７は、他端部２８を棒状体１８とともに照明柱１６内に収容している。
【００３９】
図６に示すように、長年の使用により器具本体１１の本体ケース１２に腐食や金属疲労を生じてきた場合、比較的大きな荷重の器具本体１１における本体ケース１２が、器具本体１１全体の荷重に耐えられなくなる。
【００４０】
そして、万が一に、本体ケース１２の照明柱固定用孔１９が照明柱１６から外れてしまった場合、紐状体１７が器具本体１１とともに落下していって照明柱１６の開口部から引き出されていく。
【００４１】
紐状体１７が引き出されていくにつれて棒状体１８が照明柱１６内を上昇してくる。そして、棒状体１８の紐状体結束用輪部２９が照明柱１６の開口部に到達すると、棒状体１８が斜めに配置されて軸支持部３０の上端部を照明柱１６の開口部に係合させる。
【００４２】
すると、棒状体１８は照明柱１６の内部で照明柱１６の軸方向に対して約４５度の傾斜角度θ１で傾斜して、その下端部を照明柱１６の内面に係合させることにより、棒状体１８が移動しなくなり、紐状体１７の引き出しが停止される。
なお、紐状体１７の長さを、例えば、棒状体１８が照明柱１６の開口部に引っ掛かる際の棒状体１８から器具本体１１が人に衝突しない位置までの長さに設定した場合、器具本体１１を人に衝突させることがない。
【００４３】
これにより、紐状体１７が器具本体１１をぶら下げて保持することにより器具本体１１の落下を防止することになる。
【００４４】
図７に示すように、本発明に係る第１実施形態の屋外照明器具１０に適用される棒状体１８の第１変形例では、支持軸部３０の上端部と下端部とに弾性体製の緩衝部材３７を装着した。緩衝部材３７は照明柱１６の内面に当接する際の衝撃力を緩衝する。
【００４５】
第１変形例の棒状体１８では、棒状体１８が照明柱１６の内面に当接する場合に、緩衝部材３７により、その際の衝撃を紐状体１７に与えることがない。
従って、衝撃等によって紐状体１７が切断するようなことがない。
【００４６】
図８に示すように、本発明に係る第１実施形態の屋外照明器具１０に適用される棒状体１８の第２変形例では、比較的長い支持軸部３０の中央部に紐状体結束部３８を形成した。
【００４７】
第２変形例の棒状体１８では、紐状体結束部３８を中心として支持軸部３０が上下同一構造であるために、照明柱１６への挿入方向をいずれからでも良いようにして作業性の向上を図ることができる。
【００４８】
図９に示すように、本発明に係る第１実施形態の屋外照明器具１０に適用される棒状体１８の第３変形例では、紐状体１７の他端部２８に抜け止め用板部材３９を結束し、抜け止め用板部材３９の上方に紐状体１７を収容して予め定められた長さ（長さ寸法Ｌ１に相当する。）のパイプ部材４０を組み付けた。
【００４９】
第３変形例の棒状体１８では、施工現場で紐状体１７にパイプ部材４０を挿通するだけで棒状体１８を製作することができるので、工数の飛躍的な減少を図ることができる。
【００５０】
第１実施形態の屋外照明器具１０では、紐状体１７の他端部２８に結束された棒状体１８を照明柱１６に収容し、紐状体１７の一端部２５を本体ケース１２の紐状体結束部２２に結束した器具本体１１を照明柱１６に固定する。腐食や金属疲労に伴い器具本体１１が照明柱１６から外れた際に、紐状体１７は器具本体１１とともに照明柱１６から引き出されていく。しかし、紐状体１７が引き出されるのに伴い照明柱１６の先端部において棒状体１８が照明柱１６の開口部と開口部の下方の内面とに引っ掛かって保持され、紐状体１７の引き出しが停止される。
これにより、従来のもののように照明柱に別部材を固定しておく必要がなくなる。
従って、部品点数の減少を図って生産性の向上を図ることができるとともに製作時および施工時の作業性を飛躍的に向上させて落下の防止を図ることができる。
【００５１】
第１実施形態の屋外照明器具１０では、紐状体１７と棒状体１８とに捩れを生じた場合、紐状体１７と棒状体１８とが回転自在に結束されているために、捩れに伴うせん断応力を紐状体１７に与えることがない。
従って、紐状体１７が捩れにより切断することがないので品質の向上を図ることができる。
【００５２】
第１実施形態の屋外照明器具１０では、棒状体１８が照明柱１６の内面に当接するような場合に、緩衝部材３７により、その際の衝撃を紐状体に与えることがない。
従って、衝撃等によって紐状体１７が切断するようなことがないので品質の向上を図ることができる。
【００５３】
（第２実施形態）
次に、本発明の第２実施形態の屋外照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００５４】
図１０、図１１に示すように、本発明の第２実施形態の屋外照明器具５０は、照明柱１６の上端部に中空の水平ビーム５１の中央部に有するビーム固定部５２を固定しており、水平ビーム５１の両端部に一対の中空の垂直ビーム５３を介して一対の器具本体１１を固定している。
【００５５】
紐状体１７は、鎖からなり、その一端部２５を器具本体１１の紐状体結束部２２に結束している。紐状体１７は、器具本体１１の照明柱固定用孔１９内から垂直ビーム５３内に挿入され、ビーム固定部５２の内部から照明柱１６の内部へ挿入され、照明柱１６の内部において、その他端部２８に棒状体１８を結束している。
【００５６】
棒状体１８は支持軸部３０の上端部と下端部とに弾性体製の緩衝部材３７を装着している。
【００５７】
図１２に示すように、長年の使用により水平ビーム５１の一部に腐食や金属疲労を生じてきた場合、水平ビーム５１が器具本体１１全体の荷重に耐えられなくなる。
【００５８】
そして、万が一に、水平ビーム５１が折れてしまった場合、紐状体１７が器具本体１１とともに落下していって水平ビーム５１の切断部５４の開口部から引き出されていく。
【００５９】
紐状体１７が引き出されていくにつれて棒状体１８が照明柱１６内を上昇してくる。そして、棒状体１８の紐状体結束用輪部２９がビーム固定部５２に到達すると、棒状体１８が斜めに配置されて軸支持部３０の上端部を照明柱１６の開口部に係合させる。
【００６０】
すると、棒状体１８は照明柱１６の内部で傾斜して、その下端部を照明柱１６の内面に係合させることにより、棒状体１８が移動しなくなり、紐状体１７の引き出しが停止される。このとき、棒状体１８は緩衝部材３７が照明柱１６の内面に当接することにより、紐状体１７が突っ張った際の荷重を吸収する。
【００６１】
これにより、紐状体１７が器具本体１１をぶら下げて保持することにより器具本体１１の落下を防止することになる。
【００６２】
図１３に示すように、上記とは異なり、長年の使用により水平ビーム５１のビーム固定部５２の一部に腐食や金属疲労を生じてきた場合、ビーム固定部５２が器具本体１１全体の荷重に耐えられなくなる。
【００６３】
そして、万が一に、ビーム固定部５２が照明柱１６から外れてしまった場合、紐状体１７が器具本体１１とともに落下していって照明柱１６の開口部から引き出されていく。
【００６４】
紐状体１７が引き出されていくにつれて棒状体１８が照明柱１６内を上昇してくる。そして、棒状体１８の紐状体結束用輪部２９が照明柱１６の開口部に到達すると、棒状体１８が斜めに配置されて軸支持部３０の上端部を照明柱１６の開口部に係合させる。
【００６５】
すると、棒状体１８は照明柱１６の内部で傾斜して、その下端部を照明柱１６の内面に係合させることにより、棒状体１８が移動しなくなり、紐状体１７の引き出しが停止される。このとき、棒状体１８は緩衝部材３７が照明柱１６の内面に当接することにより、紐状体１７が突っ張った際の荷重を吸収する。
【００６６】
これにより、紐状体１７が一対の器具本体１１および水平ビーム４１をぶら下げて保持することにより器具本体１１の落下を防止することになる。
【００６７】
なお、第２実施形態の屋外照明器具５０では、棒状体１８として本発明の第１変形例のものを適用したが、第２変形例のものに代えて、第１実施形態や第２変形例や第３変形例のものを適用することもできる。第２実施形態の屋外照明器具５０は第１実施形態と同様の作用効果を奏する。
【００６８】
（第３実施形態）
次に、本発明の第３実施形態の屋外照明器具について説明する。
【００６９】
図１４に示すように、本発明の第３実施形態の屋外照明器具６０は、照明柱１６の上端部に中空の水平ビーム５１の中央部に有するビーム固定部５２を固定しており、水平ビーム５１の両端部に一対の中空の垂直ビーム５３を介して一対の器具本体１１を固定している。
【００７０】
紐状体１７は、鎖からなり、その一端部２５をビーム固定部５２に結束している。紐状体１７は、ビーム固定部５２の内部から照明柱１６の内部へ挿入され、照明柱１６の内部において、その他端部２８に棒状体１８を結束している。
【００７１】
図１５に示すように、長年の使用により水平ビーム５１のビーム固定部５２の一部に腐食や金属疲労を生じてきた場合、水平ビーム５１のビーム固定部５２が水平ビーム５１および器具本体１１全体の荷重に耐えられなくなる。
【００７２】
そして、万が一に、ビーム固定部５２が照明柱１６から外れてしまった場合、紐状体１７が水平ビーム５１および器具本体１１とともに落下していってビーム固定部５２の開口部から引き出されていく。
【００７３】
紐状体１７が引き出されていくにつれて棒状体１８が照明柱１６内を上昇してくる。そして、棒状体１８の紐状体結束用輪部２９が照明柱１６の開口部に到達すると、棒状体１８が斜めに配置されて軸支持部３０の上端部を照明柱１６の開口部に係合させる。
【００７４】
すると、棒状体１８は照明柱１６の内部で傾斜して、その下端部を照明柱１６の内面に係合させることにより、棒状体１８が移動しなくなり、紐状体１７の引き出しが停止される。
【００７５】
これにより、紐状体１７が器具本体１１をぶら下げて保持することにより器具本体１１の落下を防止することになる。
【００７６】
なお、第３実施形態の屋外照明器具６０では、棒状体１８として本発明の第１実施形態のものを適用したが、第１実施形態のものに代えて、第１変形例の第２変形例や第３変形例のものを適用することもできる。第３実施形態の屋外照明器具６０は第１実施形態と同様の作用効果を奏する。
【００７７】
なお、前記各実施形態で使用した照明柱１６、水平ビーム５１、垂直ビーム５３等は例示した形状に限定するものではなく適宜変更が可能である。
【符号の説明】
【００７８】
１０、５０、６０  屋外照明器具
１１  器具本体
１４  ランプ
１６  照明柱
１７  紐状体
１８  棒状体
２２  紐状体結束部（固定部）
３５  緩衝部材
【図１】
2010218835.tif 000003
【図２】
2010218835.tif 000004
【図３】
2010218835.tif 000005
【図４】
2010218835.tif 000006
【図５】
2010218835.tif 000007
【図６】
2010218835.tif 000008
【図７】
2010218835.tif 000009
【図８】
2010218835.tif 000010
【図９】
2010218835.tif 000011
【図１０】
2010218835.tif 000012
【図１１】
2010218835.tif 000013
【図１２】
2010218835.tif 000014
【図１３】
2010218835.tif 000015
【図１４】
2010218835.tif 000016
【図１５】
2010218835.tif 000017